(57)【要約】  本発明は補聴器およびイヤホンの分野に関する。より具体的には、本発明は、耳に装着されるイヤホンおよび補聴器のための汎用アダプタに関する。汎用アダプタは、補聴器またはイヤホンの増幅された音を耳道の中に導入する役割を担う。アダプタは、互いに別々に配置された台形状の中空セグメント（５）を有し、中空セグメントは、中央に配置され補聴器の音出口コネクタを収容する役割を担う係止ニップル（２）に沿って背面側から近位側へと半径方向に減少する側壁（１５）を有する。中空セグメント（５）は、接触面（１）の近位端（１４）と共に係止ニップル（２）の近位端（６）に接続されている。アダプタは、短縮された楕円体の形状を有する。アダプタは、耳道の形状に自動的に適合することができる。【選択図】図２
2021514597.tif 000002
【特許請求の範囲】
【請求項１】
補聴器またはイヤホンの増幅された音を、個別の形状を有する人間の耳道の中に導入するための可撓性材料を備える汎用アダプタであって、前記アダプタは複数の漏斗状の中空セグメント（５）を有し、前記中空セグメントは、背面端から見た時に台形の形状に類似した断面形状を有し、互いに別々に配置され、中央に配置され前記補聴器の音出口コネクタを収容する役割を担う係止ニップル（２）に沿って、背面側から近位側へと半径方向に減少する側壁（１５）を有し、更に、前記中空セグメント（５）は、接触面（１）の近位にある狭い端部（１４）と共に前記係止ニップル（２）の近位端（６）に接続され、前記アダプタは短縮された楕円体の形状を有し、それにより、前記アダプタは、弾性を有する前記側壁（１５）の復元力により、前記アダプタの前記接触面（１）を用いて耳道の形状に最適に適合することができる、汎用アダプタ。
【請求項２】
台形状の中空セグメント（５）の数は４である、請求項１に記載の汎用アダプタ。
【請求項３】
２つの隣接するセグメント（５）の前記接触面（１）は、前記アダプタの近位端から背面端まで非常に近づいて平行に延びており、前記セグメント（５）の前記側壁（１５）は、前記セグメント（５）の内側に狭いキンク（９）を有し、隣接する前記セグメント（５）に対して半径方向の隆起部（９）を有しその結果、前記キンク（１０）の方向への外部からの環状の圧力に起因して、隣接する、前記セグメントの、下側に滑り込む側のキンク（１８）が、前記セグメントの、受け取る側の前記キンク（１０）に向かってシフトし、それにより、前記セグメント（５）の前記キンク（９、１８）は、一方が他方の上になってシフトし、静止位置で平行に延びる前記接触面（１）の閉鎖を形成し、その結果、本明細書による全てのセグメント（５）の構成において、前記アダプタを耳道の中に挿入した場合に、前記側壁の近位端における前記側壁の距離が小さいことに起因して、前記アダプタと鼓膜との間にある残りの容積の少なくとも最低限の通気（８）が確保されることを特徴とする、請求項１または２に記載の汎用アダプタ。
【請求項４】
前記セグメント（５）の全てが、請求項３に従って形作られ半径方向に配置され、前記セグメントは、背面端から近位端までの距離（１７）を有し、前記距離（１７）は、外耳道（１９）の中に挿入された場合に、前記汎用アダプタの断面積よりも僅かに小さい断面積に低減され、切り取られた楕円弧の形で平行に延びる隣接する前記セグメント（５）の湾曲した前記キンク（９、１８）は、互いに、より近接し、その結果、類似したセグメント（５）の数に応じて、前記セグメント（５）の湾曲した前記側壁（１５）によって、前記アダプタの背面端から近位端まで延びる連続するチャネル（１６）を形成することができ、所望の音が前記係止ニップル（２）を通して導入されることに加えて、前記チャネル（１６）は更に、低周波音成分が耳道（１９）の中に入ることを可能にする、請求項１〜３のいずれか一項に記載の汎用アダプタ。
【請求項５】
２つのセグメント（５）が、請求項４に従う相互に対向する前記側壁（１５）によってチャネル（１６）を形成する一方で、請求項３に従って設計された他のセグメント（５）の前記側壁（１５）は閉鎖を形成し、それにより１つだけのチャネル（１６）が利用可能であり、その結果、約８００Ｈｚ未満の周波数だけが、前記チャネル（１６）を通って自然な形で鼓膜に到達することを特徴とする、請求項１〜４のいずれか一項に記載の汎用アダプタ。
【請求項６】
請求項４に従って設計された２つのセグメント（５）が、相互に対向する前記側壁（１５）によってチャネル（１６）を形成する一方で、請求項３に従って設計された他方のセグメント（５）の前記側壁（１５）は閉鎖を形成し、その結果、この構造において２つのチャネル（１６）が利用可能であり、およそ１ｋＨｚ未満の周波数が、利用可能な前記２つのチャネル（１６）を通って自然な形で鼓膜に到達することを特徴とする、請求項１〜４のいずれか一項に記載の汎用アダプタ。
【請求項７】
請求項３に従って設計された２つのセグメント（５）が、相互に対向する前記側壁（１５）によって閉鎖を形成する一方で、請求項４に従って設計された他のセグメント（５）の前記側壁（１５）は互いに距離を形成し、その結果、この構造において３つのチャネル（１６）が利用可能であり、およそ１．５〜１．８ｋＨｚ未満の周波数が、前記チャネル（１６）を通って自然な形で鼓膜に到達することを特徴とする、請求項１〜４のいずれか一項に記載の汎用アダプタ。
【請求項８】
前記セグメント（５）の全てが、前記アダプタの背面端から近位端まで、前記係止ニップルの長手方向軸に沿って螺旋状に変形されて配置されることを特徴とする、請求項１〜７のいずれか一項に記載の汎用アダプタ。
【請求項９】
中央に配置された前記係止ニップルは、市販の補聴器の外部ラウドスピーカの音出口開口部を、耳掛け式で着用することに適応させる役割を担う、硬質プラスチックで作製された要素で形成されるか、または前記要素を備えることを特徴とする、請求項１〜８のいずれか一項に記載の汎用アダプタ。
【請求項１０】
前記アダプタの近位端において、掃除が容易な円弧状の耳垢保護（４）が前記音出口開口部を覆うことを特徴とする、請求項１〜９のいずれか一項に記載の汎用アダプタ。
【請求項１１】
少なくとも２つのセグメント（５）が、耳道（１９）の中に挿入された時に重なり（２７）を形成し、２つの側壁（２６）が前記セグメント（５）の内側にシフトされる一方で、前記接触面（１）が元のサイズを維持することに起因して、閉鎖が生成されることを特徴とする、請求項１〜１０のいずれか一項に記載の汎用アダプタ。
【請求項１２】
前記汎用アダプタは、耳スピーカ（３２）を連結するための解剖学的に形作られた中間アダプタを備え、固体材料で作製されている、前記アダプタの音出口ソケット（２８）は、前記係止ニップル（２）の受口（３）の中に差し込むことができ、それにより着脱可能な接続が提供され、その結果、前記中間アダプタの可撓性クランプ縁部（３１）においてクランプされ得る耳ラウドスピーカ（３２）からの音伝達を、圧力なしで耳道（１９）の中へと快適に供給することができることを特徴とする、請求項１〜１１のいずれか一項に記載の汎用アダプタ。
【請求項１３】
前記中間アダプタは、２成分材料からなるか、または２成分材料を含む、請求項１２に記載の汎用アダプタ。
【発明の詳細な説明】
【技術分野】
【０００１】
本発明は補聴器およびイヤホンの分野に関する。より具体的には、本発明は、耳に装着されるイヤホンおよび補聴器のための汎用アダプタに関する。
【背景技術】
【０００２】
本発明は、人間の耳道で最も多様な解剖学的条件に自動的に適合するアダプタに関し、本アダプタは、補聴器市場において大部分の補聴器で使用することができ、耳に装着することができ、非常に高いレベルの装着時の快適性を伴って、個別の聴能学上の要件を満足する。
【０００３】
補聴器は、ＢＴＥデバイス（耳掛け型デバイス）およびＩＴＥ（インイヤ型デバイス）として、様々なデザインおよびサイズで、様々な製造業者によって市場に提供されている。それらは、本質的にマイクロホン、増幅器、ラウドスピーカ、および電源で構成される。ＢＴＥデバイスでは、可撓性音響管を介して、または外部ラウドスピーカ（「外耳道内レシーバ」／ＲＩＣ）を介してのいずれかで、音が外耳道の中に導入される。ＩＴＥでは、ほとんど個別に作製された中空シェル内に全ての構成要素が取り付けられる。ＩＴＥは、標準ハウジングの形でも入手可能である。それらは標準化された音出口ソケットで設計され、シリコーンドームの中に、または、このソケット用に準備され、あつらえた（ｍａｄｅ−ｔｏ−ｍｅａｓｕｒｅ）イヤモールドの中に挿入される。
【０００４】
補聴器の増幅された音を耳道の中に導入するために、ほとんどの場合、キャストアクリル（ポリメチルメタクリレート／ＰＭＭＡ）または光硬化材料で作製された、あつらえたイヤモールド／イヤピースが、処置される耳に対して作製される。なぜなら、そうすることにより、補聴器の着用者の外耳道の、それぞれの個別の解剖学的な形状に対して良好なフィッティングがもたらされ、それにより、外耳道内においてイヤモールドがより確実に保持されることになるからである。これを行うために、２成分のシリコーン材料で外耳の印象が作製される（歯の印象と同様）。今日では、ネガの形状は一般に、３次元スキャナを使用してデジタル的にキャプチャされる。そのデータを用いて、サードパーティ企業によってレーザー技術を用いてブランクが製造され、次いで手で再作業を実施して、最終的な仕上げ品が得られる。音が音響管によって導入される時に、以前に穿設されたあつらえたイヤモールドの中に管を接着することによって管が固定される。必要とされる通気孔（直径＝０．６〜０．８ｍｍ）、または残りの容積（あつらえたイヤモールドと鼓膜間の容積）（直径＝１．０〜２．５ｍｍ）への低周波の音イベントの直接の導入を可能にする孔はいずれも一般に音響用の孔と平行に穿設される。音響管を通して音を導入する場合に、耳垢保護、または音出口開口部の中への耳かすの侵入を防止するデバイスが、あつらえたイヤモールドの中に組み込まれることは極めてまれである。多くの補聴器では、小型ラウドスピーカが、補聴器のハウジングから取り出され、細いケーブルによって補聴器に接続される。あつらえたイヤモールドに連結させるために、外部ラウドスピーカ（「外耳道内レシーバ（Ｒｅｃｅｉｖｅｒ  ｉｎ  ｔｈｅ  ｃａｎａｌ）」；ＲＩＣ）は、イヤモールドの中に組み込まれなければならない特別な保持装置を必要とする。これは、例えば独国特許出願公開第１０２００６００４０３３Ａ１において開示されている。
【０００５】
外耳道の解剖学的条件が、年齢により、または体重の増加または減少により変化した場合、あつらえたイヤモールドの置き換えが必要である。
【０００６】
傘状の形状で、概ね半球状で、柔らかいシリコーンで作製された、いわゆる「ドーム」が現在、大抵の場合に補聴器を試行するために使用されている。薄肉の半球は、必要とされる音伝達に応じて、穿孔が設けられ、したがって高周波の伝達に好適であるか、または広帯域音の増幅のために閉鎖されている。これらのドームは、補聴器の供給者によって自社製品用に提供されている。いわゆる「小さい管」（比較的固い細い管、外径＝１．５〜２ｍｍ、内径＝０．８〜１．５ｍｍ）を介する音の導入については、音は細い管を介して、対応するドームが設けられた耳掛け型デバイス（ＢＴＥ）から外耳道の中に伝達される。外部ラウドスピーカがある場合（外耳道内レシーバ；ＲＩＣ）、ドームはラウドスピーカ上に直接置かれる。ＢＴＥデバイスから外部ラウドスピーカへの接続は細いケーブルによって確保される（例えば、欧州特許出願公開第２９１９４８６Ａ１号、米国特許第７６０９０５Ｓ１号、米国特許第７６８１５７７Ｂ２号を参照）。いくつかの製造業者は、ドームを自社固有製品用に提供している（独国特許出願公開第１０２０１４２００６０５Ａ１号、欧州特許出願公開第２８１９４３５Ａ１号）。補聴器製造業者は、自社で開発した外部ラウドスピーカ用に製品固有のシリコーンドームを提供している。外部ラウドスピーカをドームに固定するために、より堅い材料で作製された第２の構成要素がドームの中に射出成形される。これらのドームは一般に、細い管と同じ形状および特性を有する（例えば、文献として独国特許出願公開第１０２０１４２００６０５Ａ１号、欧州特許出願公開第１９９５９９１Ａ２号、米国特許第８２９０１８７Ｂ２号、独国特許出願公開第１０２０１１００６７２０Ａ１号、米国特許出願公開第６１２９１７４Ａ号、米国特許出願公開第２００８／０２９８６１８Ａ１号、国際公開第２００１／０６９９７１Ａ２号、欧州特許出願公開第２８１９４３５Ａ１号）。
【０００７】
他の、主に以前の開発はインイヤ型デバイスでの使用を目的とし、標準化されたその近位端が、この目的のために開発されたドームと共に耳道の中に挿入されることになる（例えば、欧州特許出願公開第２１８０７２４Ａ１号、米国特許出願公開第２００８／００１９５４９Ａ１号、米国特許第３６８３０９Ｓ号、欧州特許出願公開第０１７３３７１Ａ１号、米国特許第５７４２６９２Ａ号、国際公開第１９９３／０２５０５３Ａ１号、米国特許出願公開第５７４８７４３Ａ号、欧州特許出願公開第００４０２５９Ａ１号、欧州特許出願公開第１５２１４９８Ａ２号、独国特許第１９９０８８５４Ｃ１号、米国特許第８６９３７１９Ｂ２号、米国特許出願公開第２０１１／０２２３８６４Ａ１）。
【０００８】
民生用電子機器（イヤホンのための）のシリコーンドームは一般に、製品固有のラウドスピーカ（「イヤホン」）の使用のために開発される。
【０００９】
娯楽産業におけるイヤホンは通常、より大きな音出口開口部を有し、この目的のために生産されたドームを接続するために使用される特別なソケットを伴う。関連する従来技術は、例えば、米国特許出願公開第２０１０／０１６６２４１Ａ１号、米国特許出願公開第７１１６７９３Ｂ２号、独国特許出願公開第１０２０１３２０３７８４Ａ１号、米国特許出願公開第８１８９８４６Ｂ２号、米国特許出願公開第６１１９２９Ｓ１号、米国特許出願公開第２０１４／０１３８１７９Ａ１号、米国特許出願公開第ＲＥ３８，３５１Ｅ１号、米国特許出願公開第２００９／０１５４７４９Ａ１号、米国特許出願公開第２０１３／０１６３８０３Ａ１号、米国特許出願公開第２０１５／０４９８９７Ａ１号、韓国特許出願公開第１０２０１６００１１０８Ａ１号、米国特許出願公開第７，６８１，５７７号、に見出すことができる。
【００１０】
聴診器、または例えばティンパノメーターまたは類似デバイスなどの検査デバイスのために、医療技術で使われるドームは主に、検査者または被検査者の耳道を閉鎖するように設計されている。それらは一般に、耳道開口部に外部から適用される（例えば、米国特許第７６６４２８２Ｂ２号、Ｕ米国特許出願公開第４０５５２３３Ａ号、Ｕ米国特許第６４７３５１３Ｂ１号を参照）。製造業者は、外耳道の中に挿入されるプローブを用いる測定のための特別なドームを提供している（例えば、米国特許第６２５３８７１Ｂ１号を参照）。
【００１１】
顧客は、あつらえたイヤモールドを作るために、少なくとも２度の予約訪問が必要である。あつらえたイヤモールドによる全ての処置の約３０％〜４０％において、顧客は、不満足なフィッティング、湿気の形成、不快な音、または更には圧迫感について不満を言う。後処理または新たな製作さえ必要となる。多くの場合、顧客は２回以上の予約をする必要がある。
【００１２】
耳垢（耳かす）の侵入に対する保護が、あつらえたイヤモールドに組み込まれることはほとんどない。
【００１３】
多くの場合に発生する課題は、いわゆる閉塞効果（閉鎖効果）である。これは、自身の音声の低周波部分が、開いた外耳道におけるのと同様に外に出る／流出すること、がないことを意味する。
【００１４】
鼓膜によって反射される周波数に、あつらえたイヤモールドを出る音によって発せられる周波数が伴って、干渉現象、したがって、残響または音の「揺れ（ｗｏｂｂｌｉｎｇ）」などの現象につながり得る。あつらえたイヤモールドの解剖学的な製造に起因して、外耳道内の音出口の位置、したがって鼓膜までの距離が固定されているので、形成法を変更し音出口を異なる位置にすること、あるいは通気口を設けることによってのみ、改善を実現することができる。しかし、通気口の直径および長さに応じて、音響帰還の危険がある。
【００１５】
これら状況により、あつらえたイヤモールドについての既に高い経費に加えて、後処理および新たな製作のための追加の費用が生じ、これを製造者が負担しなければならない。顧客の５０％以上にとって、あつらえたイヤモールドを装着することは、むしろ不快であった。
【００１６】
それは通常、約１．５〜２年の着用の後に交換されなければならない。これは同様に高い経費を生む。
【００１７】
多くの顧客はドームを使用する時に、永続的なむずむず感（ｔｉｃｋｌｉｎｇ）または更には引っ掻き（ｓｃｒａｔｃｈｉｎｇ）を経験し、そしてドームが外耳道から簡単に抜け出るので不安を感じる。ドームは、様々なサイズ（直径）で提供されるが、一般に製造寸法の範囲内で固定の、不変の周長を有する。
【００１８】
いわゆる「チューリップ」形状のシリコーンドーム（例えば、欧州特許出願公開第２９１９４８６Ａ１号の図４８、米国特許出願公開第２００５／０２４４０２６Ａ１号を参照）は、様々な直径または周長を提供するが、約０．３ｍｍの非常に柔軟な壁厚に起因して、外耳道内での保持が非常に弱く、また着用者に痒みまたはむずむず感をもたらす。特に咀嚼運動が外耳道皮膚を刺激する。チューリップ形状は、主に広帯域音の増幅を導入するために使用される。
【００１９】
近位端、すなわち鼓膜の方に向く端部は一般に、音出口開口部に垂直な平坦な端部を有するので、上述したように閉塞効果および干渉がしばしば生じる。
【００２０】
ほとんど全ての外耳道において、入口の直ぐ先に、この点に位置する狭窄（収縮）を伴うキンクが存在するという事実から、より大きな課題の１つが生じる。固定された周長を有するドームを引き抜いている時に、そこに引っ掛かり外耳道内に残ることは珍しいことではなく、そのことは、ドームを除去するために、耳鼻咽喉科の専門家の受診が必要になることを意味する。
【００２１】
しかし、市販のシリコーンドームの大きな欠点の１つは、外耳道のまさに個別の解剖学的条件に厳密に適合するドームはないということである。大部分のシリコーンドームは、背面端で、すなわち外耳道の出口側で円形である。しかし、現実には円形の外耳道は存在しない。より大きい直径を有するドームを選択する場合、可撓性材料は、その０．３〜５ｍｍという薄壁ゆえに、背面端において折り畳まれ円周の内側に入る。その結果として生じる、耳道の壁に抗して静止するより尖った背面端は、上述の痒みおよび引っ掻きにつながり得る。より小さいシリコーンドームを選択すると、外耳道内で固定されないので、一般に同様にむずむず感につながる。咀嚼運動により、これら効果は強化される。なぜなら、咀嚼運動中は下方にある顎骨によって外耳道が移動するからである。
【００２２】
ドームが耳道から抜け出ることに対する保護のために、細い管に取り付けられるＰＶＣサポートデバイスが公知であり、ＰＶＣサポートデバイスは大きな耳介空洞（耳甲介腔）に挿入される。このサポートは加えて、むずむず感につながり、年配の補聴器ユーザにとって使い易くなく、したがって、しばしば拒絶される。製造業者固有の製品に対するサポートデバイスが、外部ラウドスピーカ用に使用される。
【００２３】
いくつかのシリコーンドームは、一定の変動性を提供するが、補聴器の着用者にとって取り扱いが非常に複雑であり使用が難しい。シリコーンで作製された２部品製品は通常、年配の補聴器ユーザには好適ではない。
【００２４】
衛生に関して、および自分でドームを置き換えることに関して、これらターゲット群は負担が大きい。低い音成分に対する開放音の導入に至るまで通気用の開口部を調整することは、着用者にとって非常に困難である。
【００２５】
開口部の断面積のごく僅かな変化が、増幅された音が供給される時に極めて大きな周波数変化につながる（例えば独国特許出願公開第１０２０１００４２１５０Ａ１号を参照）。
【００２６】
標準システムにおいて、ドームを外耳道内で解剖学的に適合させる課題を解決するために、エアクッションを膨張により拡張させる製品、または金属製ばね機構を使用して外耳道皮膚に貼り付かせることを可能にする製品が開発されてきた。これらのドームは、周波数に影響する開口部を伴って、限られた範囲でのみ提供され得る。その後の通常の拡張により、ほとんど全ての耳道にはキンクが存在するゆえに、エアクッションを有するシステムでは、空気は放出され、再利用する時にユーザによって再び空気が注入されなければならない（独国特許出願公開第４３３９８９９Ａ１号）。
【００２７】
ドームシステムにおける金属製ばねシステムは、拡大が最も大きな場所において、温度変化によって（米国特許出願公開第２００７／０１８３６１３Ａ１号に記載されている）、またはいくつかの環状のサスペンションを用いて、選択的に機能し得るだけである。弾力のあるシステムは、外耳道内での位置決めをより困難にする（独国特許出願公開第４３３９８９９Ａ１号を参照）。これらドームはまた、丸い形状を有し、外耳道に挿入する、および外耳道から引き抜く場合に、上述の課題がまた生じる。
【００２８】
外部ラウドスピーカ用のドームの特性および課題は、上記の細い管用のドームの特性とほぼ同一である。
【００２９】
例えば、民生用電子機器または医療技術で使用されるシリコーンドームは、聴覚システム用の外部イヤホンの使用には好適ではない。これらドームは、好適な接続オプションを有しない。
【先行技術文献】
【特許文献】
【００３０】
【特許文献１】独国特許出願公開第１０２０１４２００６０５Ａ１号
【特許文献２】欧州特許出願公開第２９１９４８６Ａ１号
【特許文献３】米国特許第７６０９０５Ｓ１号
【特許文献４】米国特許第７６８１５７７Ｂ２号
【特許文献５】欧州特許出願公開第２８１９４３５Ａ１号
【特許文献６】欧州特許出願公開第１９９５９９１Ａ２号
【特許文献７】米国特許第８２９０１８７Ｂ２号
【特許文献８】独国特許出願公開第１０２０１１００６７２０Ａ１号
【特許文献９】米国特許出願公開第６１２９１７４Ａ号
【特許文献１０】米国特許出願公開第２００８／０２９８６１８Ａ１号
【特許文献１１】国際公開第２００１／０６９９７１Ａ２号
【特許文献１２】欧州特許出願公開第２１８０７２４Ａ１号
【特許文献１３】米国特許出願公開第２００８／００１９５４９Ａ１号
【特許文献１４】米国特許第３６８３０９Ｓ号
【特許文献１５】欧州特許出願公開第０１７３３７１Ａ１号
【特許文献１６】米国特許第５７４２６９２Ａ号
【特許文献１７】国際公開第１９９３／０２５０５３Ａ１号
【特許文献１８】米国特許出願公開第５７４８７４３Ａ号
【特許文献１９】欧州特許出願公開第００４０２５９Ａ１号
【特許文献２０】欧州特許出願公開第１５２１４９８Ａ２号
【特許文献２１】独国特許第１９９０８８５４Ｃ１号
【特許文献２２】米国特許第８６９３７１９Ｂ２号
【特許文献２３】米国特許出願公開第２０１１／０２２３８６４Ａ１
【特許文献２４】米国特許出願公開第２０１０／０１６６２４１Ａ１号
【特許文献２５】米国特許出願公開第７１１６７９３Ｂ２号
【特許文献２６】独国特許出願公開第１０２０１３２０３７８４Ａ１号
【特許文献２７】米国特許出願公開第８１８９８４６Ｂ２号
【特許文献２８】米国特許出願公開第６１１９２９Ｓ１号
【特許文献２９】米国特許出願公開第２０１４／０１３８１７９Ａ１号
【特許文献３０】米国特許出願公開第ＲＥ３８，３５１Ｅ１号
【特許文献３１】米国特許出願公開第２００９／０１５４７４９Ａ１号
【特許文献３２】米国特許出願公開第２０１３／０１６３８０３Ａ１号
【特許文献３３】米国特許出願公開第２０１５／０４９８９７Ａ１号
【特許文献３４】韓国特許出願公開第１０２０１６００１１０８Ａ１号
【特許文献３５】米国特許出願公開第７，６８１，５７７号
【特許文献３６】米国特許第７６６４２８２Ｂ２号
【特許文献３７】米国特許出願公開第４０５５２３３Ａ号
【特許文献３８】米国特許第６４７３５１３Ｂ１号
【特許文献３９】米国特許第６２５３８７１Ｂ１号
【特許文献４０】米国特許出願公開第２００５／０２４４０２６Ａ１号
【特許文献４１】独国特許出願公開第１０２０１００４２１５０Ａ１号
【特許文献４２】独国特許出願公開第４３３９８９９Ａ１号
【特許文献４３】米国特許出願公開第２００７／０１８３６１３Ａ１号
【発明の概要】
【発明が解決しようとする課題】
【００３１】
したがって、本発明は、従来技術の不利な点を回避する、補聴器およびイヤホンのためのアダプタを提供する目的に基づいている。
【００３２】
それに応じて、アダプタは、補聴器およびイヤホンを、着用者に対して個別に適合させることに伴う労力を低減させなければならない。外耳道内でのフィッティングは改善されなければならず、むずむず感または引っ掻きなどの不快な感覚は回避されなければならない。アダプタは、外耳道の形状の変化に対して、問題なく応答しなければならない。アダプタは、耳内デバイス、外耳道内レシーバを有する耳掛け型デバイス、および民生用電子機器からのイヤホンのいずれにも好適でなければならない。耳垢保護を組み込むことが容易でなければならない。アダプタは、「閉塞効果」の発生を低減させなければならない。それは、外耳道における狭窄の存在ならびに外耳道の非円形の断面形状に対して、問題なく応答しなければならない。アダプタの使用は、できるだけ単純でなければならない。また、アダプタは、通気開口部を正確に設定することの困難さの課題を低減させる目的を有する。
【００３３】
課題は、請求項１に列挙される本発明の特徴によって解決される。この新型のアダプタに関する本発明によって、その特別な形状と性質により、市販のほとんど全ての補聴器の増幅された音を、解剖学的に個別の形状を有する人間の耳道の中に直ちにガイドすることができる。請求項１２の特徴を備える中間アダプタによって、娯楽産業の耳ラウドスピーカを、請求項１の特徴を備える汎用アダプタに連結することができる。
【００３４】
有利な実施形態は、従属請求項、下記の説明、ならびに図面に見出すことができる。
【課題を解決するための手段】
【００３５】
本発明は、補聴器またはイヤホンの増幅された音を、個別の形状を有する人間の耳道の中に導入するための可撓性材料を備える汎用アダプタに関する。
【００３６】
この場合、「可撓性材料」は、プラスチック、特に、２０〜１００のショアＡの硬度を有し、使用中に典型的に発生する圧力下で十分に弾性的に変形し、使用後にその元の形状に戻る特定のエラストマーを意味する。汎用アダプタ、または短縮してアダプタ、を上述したような非可撓性の本質的に固体である材料と組み合わせて、例えば取り扱い（例えば、ハンドル）を目的とした固体コアまたは領域を構築することもできる。用語「補聴器」および「イヤホン」は、広く解釈されるべきであり、導入部で言及した全ての分野、ならびに、本質的に耳道の中に挿入されなければならない要素が必要な、すなわち、音を導入する時だけでなく例えば雑音保護のための、言及してない全ての分野を含む。
【００３７】
本発明によれば、アダプタは、前述の可撓性材料で構成される複数の台形状中空セグメント、または短縮してセグメント、を有し、セグメントは互いに分離して配置され、その側壁は（同じまたは別の）可撓性材料または固体材料で作製され、補聴器の音出口ソケットを収容する役割を担う中央に配置された係止ニップルに沿って、背面側（すなわち，体から離れる側）から近位側（すなわち、体に向かう側）へと半径方向に減少する。台形状は、（背面から近位へと）長手方向に見た断面を指す。
【００３８】
更に、中空セグメントは接触面の近位の狭い端部と共に係止ニップルの近位端に接続され、アダプタは短縮された楕円体の形状をしており、それにより、アダプタは、その接触面を、弾性を有する側壁の復元力により、耳道の形状に最適に適合させることができる。
【００３９】
本発明により設計されるアダプタは、従来技術において公知の不利な点を回避する。特に、このアダプタは、補聴器およびイヤホンを、着用者に対して個別に適合させることに伴う労力を低減させ、安価なシリーズ製品として生産することができる。
【００４０】
以下で詳細に説明するように、アダプタは、挿入された時に外耳道の所与の解剖学的条件に自動的に適合し、その高い柔軟性ゆえに圧力なしで固定され得るので、以下に詳述するように、外耳道内でのフィッティングは大幅に改善される。その柔軟な適用可能性と併せて、本アダプタは、様々な製造業者からの多数の既知のシリコーンドームを置き換えることができ、したがって、聴覚ケア専門家の店舗における倉庫管理および調達のために必要とされる時間の短縮につながる。なぜなら、様々な直径の非常に狭い範囲のシリコーンアダプタだけをストックすればよいからである。
【００４１】
本発明による、その形状および柔軟性に起因して、外耳道から引き抜かれる時に引っ掛かる危険は非常に低い。咀嚼時であっても、むずむず感または引っ掻きなどの不快な感覚は大幅に回避される。アダプタは、外耳道の形状の変化に対して問題なく反応する。
【００４２】
後述するように、アダプタは、耳内デバイス、外耳道内レシーバを有する耳掛け型デバイス、および民生用電子機器からのイヤホンのいずれにも好適である。
【００４３】
耳垢保護を簡単に組み込むこともできる。アダプタはまた、「閉塞効果」の発生を低減させる。それは、外耳道における狭窄の存在ならびに外耳道の非円形の断面形状に対して、問題なく反応する。
【００４４】
アダプタの使用は、特に単純であり、ユーザのいかなる特定の技術も要求せず、事前知識なしで実施できる。
【００４５】
アダプタはまた、単純な方法で、かつ専門家の介入なしで置き換えることができる。
【００４６】
最後に、更に示すように、アダプタは、通気を適切に調整することが困難であるという課題を低減させる。ここで本発明の様々な実施形態を以下で更に詳細に説明する。
【００４７】
台形状中空セグメントの数は好ましくは４個である。他の実施形態では、その数は２個もしくは３個、または４個以上、例えば５個もしくは６個である。
【００４８】
汎用アダプタの一実施形態によれば、２つの隣接するセグメントの接触面は、アダプタの近位端から背面端へと非常に近づいて（例えば０〜０．５ｍｍ）、互いに平行に延び、セグメントの側壁は、外縁部に位置し、セグメントの内側に向いた、第１の狭いキンクを有する。したがって、この第１のキンクに近接している側壁は、もはや厳密には半径方向に延びてはいない（断面図において）。
【００４９】
任意選択的に、このセグメントは好ましくは、隣接するセグメントを覆う半径方向の隆起を有する。したがって、この隆起の領域は、中央に配置された長手方向軸から、隆起がない場合よりも幾分大きな距離／半径を有する。
【００５０】
隣り合うセグメントの「下側に摺動する」側の外縁部上にも位置する狭いキンクが、環状の圧力を受けて、セグメントの受け側の更なるキンクの方向に、外側から押し、その方向に、最初のキンクから始まってキンクが傾く。
【００５１】
その時、一方が他方の上に変位した、２つのセグメントのキンクが、静止位置で平行に延びる接触面の閉鎖を形成し（耳道の外側で）、それにより、全てのセグメントが本明細書に従って構成される場合、アダプタが耳道の中に挿入された場合、近位端における側壁間の小さな距離に起因して、アダプタと耳道との間の残りの容積の、または外側と鼓膜との、少なくとも最低限の通気が確保される。
【００５２】
全てのセグメントが上述の通りに形作られ（すなわち、キンクを有し）係止ニップルへと半径方向に配置される更なる実施形態によると、セグメントは、背面端から近位端まで互いに距離を有し、この距離は、アダプタよりも僅かに小さい断面積を有する耳道の中に挿入した時点で減少する。楕円アーチ部分（長手方向軸の方向で見て）において互いに平行に延びる、隣接するセグメントの湾曲したキンクは近づき、その結果、セグメントの湾曲した側壁によって、アダプタの背面端から近位端まで延びる連続チャネルが形成され得る。チャネルの数は、互いに上述の距離を有する同じタイプのセグメントの数に対応する。係止ニップルを通る所望の音の導入に加えて、これらチャネルはまた、低周波音成分が自然な正常な形で外耳道の中に入ることを可能にする。
【００５３】
更なる実施形態によれば、２つのセグメントは、最後に記載したように構成された、相互に対抗して間隔を有する側壁によってチャネルを形成し、一方で、上で更に記載した実施形態に従って形作られた他のセグメントの側壁は閉鎖を形成し、その結果、１つのチャネルだけが存在し、このことは、約８００Ｈｚ未満の周波数だけがこのチャネルを通って鼓膜に自然に到達することを意味する。
【００５４】
他の実施形態によれば、アダプタは、対応して形作されたセグメントにより、２つのチャネルおよび２つの閉鎖を有する。したがって、セグメントが４つの場合、２つの、したがって同一のセグメントが、１８０°回転されて互いに隣接して配置される。この実施形態によれば、音の通路用に２つのチャネルが利用可能であり、それにより、およそ１ｋＨｚ未満の周波数が、これら２つの利用可能なチャネルを通って自然な形で鼓膜に到達する。
【００５５】
更なる実施形態によれば、アダプタは２つのセグメントを有し、２つの相互に対向する側壁によって閉鎖を形成する一方で、セグメントの他の側壁の間に、前述の距離が存在し、その結果、３つのチャネルが利用可能であり、およそ１．５〜１．８ｋＨｚ未満の周波数が、これらチャネルを通って自然な形で鼓膜に到達する。
【００５６】
セグメントの数は、チャネルの可能な数および最大サイズを決定する。セグメントの数、および側壁の単純なバリエーションに起因して、チャネル数を変化させることができ、その結果、音に対して異なる伝達特徴が得られる。したがってアダプタは、増幅された音を補聴器から耳道の中へと、音響的に望ましい形で正しく導入することを可能にし、中間範囲および低い範囲の周波数の自然な導入のために、通気開口部、または異なるサイズの開口部について聴能学的条件を実現する。
【００５７】
一実施形態によれば、近位の視点から見て、セグメントの側壁の少なくとも外縁部が、係止ニップルから接触面へと少なくとも本質的に直線状に延びているという点で、セグメントは係止ニップルの長手方向軸の周りに対称に配置されている。任意選択的に、側壁は、外縁部の背後を延びており、その時、真っ直ぐな側壁が存在する、または、例えば更なるキンクを有する上述の実施形態に従って、そこでは異なるように形作られるようになっている。
【００５８】
更なる実施形態によれば、全てのセグメントは、アダプタの背面端から近位端へと、係止ニップルの長手方向軸の周りに螺旋状に配置される。それに応じて、前述の外縁部はそれぞれ螺旋経路上にある。それらの背後の領域は、観視方向において同じ経路にあり得る、または、それよりも多くまたは少なく「撚れている」場合がある。
【００５９】
任意選択的に存在するチャネルはいずれも、前述の螺旋形状に従うこともできる。汎用アダプタの別の実施形態によれば、中央に配置された係止ニップルは硬質プラスチックで作製された要素として形成され、市販の補聴器の外部ラウドスピーカの音出口開口部を耳掛け式で着用することに適応させる役割を担う。
【００６０】
他の実施形態によれば、係止ニップルは、第２の構成要素としてこの要素を備え、これが、別々に使用されるか、またはしっかりと接続されて存在する（２構成要素システム）かのいずれかであり得る。
【００６１】
全ての他の実施形態と組み合わせることができる一実施形態によれば、アダプタの近位端において、掃除が容易な円弧状の耳垢保護が音出口開口部を覆っている。これは、特に好ましくは、アダプタの残りの部分と一体化して形成されるが、交換可能に設計される場合もある。
【００６２】
アダプタの一実施形態によれば、少なくとも２つのセグメントが、外縁部の領域内の耳道の中に挿入された場合に重なりを形成し、２つの側壁をセグメントの内側に変位させることにより閉鎖を生成する。接触面は元のサイズを維持し続ける。すなわち、長手方向軸からアダプタの外側表面までの距離は本質的に同一のままである。
【００６３】
重なりゆえに、従来技術から公知なように、セグメントの外壁は、窪みを形成する代わりに、隣接するセグメントの外壁を覆って摺動し、よってその時、長手方向軸からの距離がより小さい領域が自然に形成される。その時、もはやこのような領域が耳道の壁に抗して静止し、保持特性の劣化および音の望ましくない伝達につながり得ることはない。
【００６４】
更なる実施形態によれば、特に娯楽用電子機器の耳スピーカを連結させるために、アダプタは解剖学的に形作られた中間アダプタを備える。前述の耳スピーカは大抵の場合、近位にドーム状形状を有する。中間アダプタは、固体材料で作製された音出口ソケットを備え、音出口ソケットは係止ニップルの受口の中に挿入されることができ、任意選択的にキンクを有する。このようにして、中間アダプタと、アダプタの残りの部分との解放可能な接続が提供される。中間アダプタはまた、イヤホン用のクランプ縁部に対する保持領域を含む。したがって、耳スピーカによって、快適に、圧力なしで、音伝達を耳道の中へとガイドすることができ、耳スピーカは、中間アダプタの好ましくは可撓性クランプ縁部の内側でクランプされ得る。したがって、娯楽産業の耳スピーカを、より良好な音響および大幅に改善された着用時の快適さを伴う、本発明による音響的に形作られた中間アダプタと共に使用することができる。
【００６５】
可撓性クランプ縁部の代わりにフックなどが提供される場合もあり、これはイヤホンの背後を把持し、したがってイヤホンを中間アダプタの背面端に締結する。前述の端部が、イヤホンの磁石に接近した時に引力を生成する材料からなるか、または備える場合は、磁気保持具も可能である。
【００６６】
更なる実施形態によれば、中間アダプタは、２成分材料からなる、または２成分材料を含む。音出口ソケットは好ましくは、固形プラスチックで作製されており、クランプ縁部は可撓性プラスチックで作製されている。
【００６７】
本発明を、図を使用して例として以下に説明する。
【図面の簡単な説明】
【００６８】
【図１】アダプタの実施形態を横切る断面である。
【図２】このアダプタの外部からの斜視図である。
【図３】このアダプタの背面方向からの長手方向軸平面図である。
【図４】このアダプタの近位方向からの長手方向軸平面図である。
【図５】音用の２つのチャネルを有するアダプタの背面方向からの長手方向軸平面図である。
【図６】音用の４つのチャネルを有するアダプタの背面方向からの長手方向軸平面図である。
【図７】外耳道内に位置するアダプタの背面方向からの長手方向軸平面図である。
【図８】外耳道の中に挿入されたアダプタである。
【図９】外部スピーカに接続されたアダプタである。
【図１０】細い管に接続されたアダプタである。
【図１１】耳内デバイスに接続されたアダプタである。
【図１２】耳掛け型デバイスに接続されたアダプタである。
【図１３】螺旋状に撚られたセグメントを有するアダプタである。
【図１４】外部スピーカを接続するための固定コア（ソケット）を有するアダプタの実施形態の断面図である。
【図１５】単一の構成要素としての図１４によるソケットの長手方向軸の図である。
【図１６】接続された外部スピーカを有する図１４による実施形態の断面図である。
【図１７】隣接する側壁とのオフセットを有するアダプタである。
【図１８】アダプタを娯楽産業からの耳スピーカと組み合わせるための中間アダプタである。
【図１９】中間アダプタの断面図である。
【図２０】接続されたアダプタを有する中間アダプタの断面図である。
【図２１】外耳道にアダプタが挿入された図２１の断面図である。
【発明を実施するための形態】
【００６９】
アダプタ（図１、図２）は好ましくは、２０〜１００のショアＡ硬度を有するシリコーン、および／または、市販の外部ラウドスピーカ２０を音出口接続部（図１６）に係止することを可能にする２構成要素システム（２Ｋシステム）から構成される。アダプタに組み込まれた固定された構成要素２４を、現在または将来の開発のために変更可能とすることが可能である。
【００７０】
アダプタは、図において水平方向に延びる長手方向を横断して、その長さの半分を僅かに超えて切断した、楕円体の形状を有する（図２を参照）。
【００７１】
近位端（画において左）からの楕円体の長さのほぼ半分まで、管状の係止ニップル２が、中央に長手方向に配置され（図１、図９〜図１２を参照）、様々な補聴器（連続しては示されない）の音出口ソケットを収容する役割を担う。係止ニップル２の内部には、断面が狭くなっているいくつかのリング（参照番号なし）がある。これにより、補聴器の音出口ソケットが確実に係止されるようになり、それにより、アダプタが引き抜かれる時にアダプタが耳道内に引っ掛かることがなく、しかし、力を僅かに増やすだけで音出口ソケットから引っ張り出すことができる（図１）。係止ニップル２の背面端（画像の右）は、通常、より大きな断面積を有する、外部ラウドスピーカの音出口ソケットおよび細い管をより良好に導入するために、円錐状に内側に向いた深い部分（ｄｅｅｐｅｎｉｎｇ）３（音出口ソケット３用の開口部、図１）を有することができる。
【００７２】
係止ニップル２の近位端は、増幅された音のための音出口開口部を形成する。この場合、音出口開口部は、耳垢（耳かす）からの保護のために半円形状カバーで覆われている（耳垢保護４、図１、図２、図４）。
【００７３】
２つ以上の、図示した実施形態では４つの、中空「セグメント」５が、係止ニップル２上で係止ニップル２の周りに長手方向に配置されている（図２〜図７、図１３、図１７）。背面端から見て、これらのセグメント５は台形の形状に類似した断面形状を有し（図３〜図７）、その短辺は中心に近く、その長辺は円周上に配置されている。アダプタの丸みを帯びた形状ゆえに、前述の辺は、実際には図示するアーチ形状を有することが好ましいことは明らかである。
【００７４】
係止ニップル２に半径方向に取り付けられた側壁１５（図５、他の図では参照番号を省略している）は、近位端から背面端まで係止ニップル２に沿って係止ニップル２に接続している（係止ニップルへの側壁の接続領域１２、図１および図３）。接触面１の端部まで半径方向に（図１、図２、図４、図１３および図１７）、係止ニップル２の近位端６から、耳道壁に面する接触面１とアダプタの背面端における係止ニップル２との間の距離のレベルまで側壁は広がり（図１）、それにより、前述の楕円形状が形成される。側壁１５の外側に（背面に）向いた端部（図１で図面の右側）は好ましくは、係止ニップルの背面端から接触面１３の背面端へと斜めに至り、その結果、「漏斗形状（ｆｕｎｎｅｌ  ｓｈａｐｅ）」になる（図１および図２、図９〜図１２、図１４、図１６）。
【００７５】
セグメント５は、半径方向外向きに直線状に延びる側壁１５を有し得る。別の実施形態によれば、セグメント５は、アダプタの背面端から近位端へと、係止ニップル２の長手方向軸の周りに螺旋状に配置される（図１３）。
【００７６】
台形状セグメント５または接触面１の外側の幅広の側は、円形部分１３のように湾曲している（図２、図１７）。外側の接触面１は、係止ニップル２の近位端６に向かって楕円弧状に傾斜し湾曲を形成している。ここで、接触面１の外側の幅は、接触面１４（図２）の近位端に至るまで、楔形状で、係止ニップル２の近位端６に取り付けられた側壁１５の寸法およびレベルまで低減される。
【００７７】
アダプタの楕円形状は、係止ニップル２の周りに配置されたセグメント５によって生成される（図２、図３、図５、図６、図１３、図１７を参照）。
【００７８】
背面に位置する、接触面１の端部１３は、湾曲して台形状セグメント５の内側に入っている。結果として生じる総断面積の低減（低減された断面積１１、図１および図３）は、アダプタが外耳道から引き抜かれる時に皮膚刺激を防止する。背面端から近位端へと、係止ニップル２に接続された台形状中空セグメント５の半径方向側壁１５の一方の側または両方の側を、セグメント５の内側に湾曲させることができる（セグメント１５の湾曲した半径方向側壁、図５）。これにより、背面端から近位端まで連続チャネル１６が構築される（図５、図６）。このチャネル１６は、通気、または鼓膜へ低周波の通過のために使用される。例えば、２つ（図５）または４つ（図６）のチャネル１６が提供され得る。
【００７９】
セグメント５は、また外側の楕円弧部分に沿って、互いに距離１７を置いて配置され得る（図６）。この距離１７は、アダプタを耳道の中に挿入する場合に、総断面積を更に低減させることを可能にし、それにより、アダプタは、更なる変更を行うことなく、サイズが異なる耳道にとって好適となる（図７）。
【００８０】
広帯域の増幅、すなわち音声スペクトルに含まれる全ての周波数の増幅を提供する、補聴器によるケアのために、アダプタは、鼓膜の前方にある残りの容積の通気を可能にしなければならない。この目的のために、したがって、開放式補聴器と、通気によってのみ提供されるものとの間の全ての範囲をカバーするために、本発明による１つ以上のセグメントが、対応する聴能学上の必要性が満たされるように、単純な方法で設計され得る。違いを、図３、図５、および図６で見ることができる。それに応じて、図３に示す実施形態では追加のチャネルがなく、図５の実施形態によれば２つ、図６の実施形態によれば４つのチャネルが提供され得る。
【００８１】
図２に示す実施形態によれば、２つの隣接するセグメント５はそれぞれ、互いに、もたれ合っている。しかし、２つのセグメント５のうちの１つにおいて、対応し隣接するセグメント５に面する半径方向側壁が、隣接するセグメント５の側壁を越えて幾分突出している（半径方向隆起９、図３）。これは、アダプタが耳道の中に挿入される場合、隣接するセグメント５を越えて隆起９を有する、セグメント５に対するガイドとしての役割を担う。
【００８２】
図示した実施形態による、隣接するセグメント５（図３）に面する側にある、きつくフィッティングされた狭い湾曲部９から、側壁１５が、第２のキンク１０に向かって傾斜してセグメント５の内部に入り、そこから側壁１５は僅かなアーチを描いて係止ニップル２へと延びる。この窪みの幅は、アーチ状の楕円形ゆえに、背面端から近位端へと減少する。
【００８３】
このようにして形成される側面１５の窪みは、隣接し対向するセグメント５に対して空間を提供し、その結果、外部圧力により、または耳道の中に挿入された場合、セグメントはそれ自体が、近位端から背面端へと延びる狭い湾曲部１８と共に、窪みを有するセグメント５の下に押し込まれ得る（図７）。したがって、以前に存在していた、２つのセグメント５の接触部の長さに沿って、両方のセグメント５が閉鎖を形成する。近位端において、側壁１５は互いに、例えば、０．１ｍｍ〜１．０ｍｍ、好ましくは０．３ｍｍの非常に小さい距離を有する。「閉鎖」アダプタの場合、この距離は最小限の通気８につながり（図４、図１３）、これが長手方向軸方向のチャネルの形態で外耳道の気密閉鎖を防止する。アダプタのこの形状は、特に増幅率がより高い広帯域音の導入のために設計される。
【００８４】
アダプタが耳道の中に挿入されると、接触面１は、セグメント５の側壁１５の復元力によって、耳道壁１９に対して半径方向外向きに緩やかに押圧される（図７）。
【００８５】
異なるセグメント５の配置に応じて、必要なアダプタが外耳道を閉鎖し（図３）、通気し（図４）、または、様々な低周波音成分の無影響での導入のために使用することができる（図２、図５、図６）。
【００８６】
アダプタの設計により、卵形、丸形、または不規則な形であろうと、更には強い峡部があっても、人間の外耳道の適切な形状に自動的に適合することが可能になる（図８）。
【００８７】
様々な聴覚デバイス設計の大部分の音出力ソケット、例えば、外部ラウドスピーカ２０（図９）、細い管２１（図１０）、インイヤ型デバイス２２（図１１）、耳掛け型デバイス（図１２）用の通常の管２３などを係止ニップル２の中に挿入することができる。
【００８８】
同様に、娯楽産業からの耳ラウドスピーカ３２の、外耳道１９の中への音放出を最適化するために、図１８に示す中間アダプタの音出口ソケット２８を外耳道１９の中に挿入することができる（図２１）。中間アダプタの形状は、人間の耳道のねじれた形状に解剖学的に調整される（図２１）。中間アダプタは、好ましくは２成分材料からなる。音出口ソケット２８は固体材料で作製されている一方で、耳スピーカ３２を収容するためのクランプ縁部３１は可撓性材料で作製されている。
【００８９】
ポリアミドまたは同等の強度を有する材料などの固形プラスチックで作製されたモールドまたはモールドブッシング２４の形で存在する係止ニップルを用いて（特に、図１５）、個別の製造業者の仕様に従って設計された係止具を有する外部ラウドスピーカ２５を、２構成要素アダプタに接続することができる（図１６）。
【００９０】
示されない実施形態によれば、係止ニップルは２つの部品で設計され、前述のソケット２４を備え、それが主要部の取り付け部の中に挿入可能である、または差し込まれる。
【００９１】
接触面１の寸法を維持しながら、半径方向に配置された側壁をセグメント５の内側に変位させることにより（オフセット側壁２６、図１７）、突出部を提供することができ、アダプタが耳道の中に挿入された時に、突出部の各々が重なり２７を形成し、したがって閉鎖がもたらされる。変位された側壁２６の数に応じて、アダプタは、より強力に増幅されなければならない広帯域音の導入のために外耳道を閉じ、場合により、最低限の通気８のみが確保される（図４参照）。聴能学に求められる、低周波音成分の自然な通過のために、隣接するセグメント５の、他のそれぞれに対抗する側壁１５が、上述したように１つ以上の連続的なチャネル１６を形成するように、側壁１５を配置することができる。オフセットは、図１７に示すように、隣接する側壁１５、２６に関連してもよく、または時計回りに、例えば、すなわち各セグメント５の第１の側壁２６の各々に関連して実施することができる（図３、図７と同様に）。また、単一のセグメント５だけが前述のオフセット側壁２６を有し得る。いくつかの、または全てのセグメント５が１つまたは２つのオフセット側壁２６を有することができる。この実施形態は、前述の実施形態の全てと組み合わせることができる。
【符号の説明】
【００９２】
１  接触面
２  係止ニップル
３  様々な補聴器用の音出力ソケット用の開口部、深い部分
４  耳垢保護
５  台形状中空セグメント、セグメント
６  係止ニップルの近位端
７  音出口開口部
８  最低限の通気
９  半径方向隆起、セグメントの受け入れ側のきついキンク、きついキンク
１０  収容セグメント側のセグメント内に再配置された第２のキンク、キンク
１１  低減された断面積
１２  係止ニップル上の側壁の接続領域
１３  円形セクション、接触面の背面端
１４  接触面の近位端
１５  セグメントの湾曲した半径方向側壁、側壁
１６  低周波通過チャネル、チャネル
１７  通気または周波数伝達のためのセグメントの距離、距離
１８  セグメントの、下側に滑り込む側のキンク
１９  外耳道
２０  外部スピーカ
２１  細い管
２２  インイヤ型デバイス
２３  通常の管
２４  プラスチックソケット、構成要素、ソケット
２５  外部送受器、外部ラウドスピーカ
２６  オフセット側壁
２７  重なり
２８  音出口ソケット
２９  耳スピーカ用の可撓性取付ソケット
３０  音入口開口部、入口開口部
３１  可撓性クランプ縁部、クランプ縁部
３２  耳スピーカ（娯楽産業）
【図１】
2021514597.tif 000003
【図２】
2021514597.tif 000004
【図３】
2021514597.tif 000005
【図４】
2021514597.tif 000006
【図５】
2021514597.tif 000007
【図６】
2021514597.tif 000008
【図７】
2021514597.tif 000009
【図８】
2021514597.tif 000010
【図９】
2021514597.tif 000011
【図１０】
2021514597.tif 000012
【図１１】
2021514597.tif 000013
【図１２】
2021514597.tif 000014
【図１３】
2021514597.tif 000015
【図１４】
2021514597.tif 000016
【図１５】
2021514597.tif 000017
【図１６】
2021514597.tif 000018
【図１７】
2021514597.tif 000019
【図１８】
2021514597.tif 000020
【図１９】
2021514597.tif 000021
【図２０】
2021514597.tif 000022
【図２１】
2021514597.tif 000023
【国際調査報告】
2021514597.tif 000024
2021514597.tif 000025
2021514597.tif 000026
2021514597.tif 000027